(57)【特許請求の範囲】
【請求項１】
下面が開放されたケーシングを有する器具本体と、器具本体に設けられランプが装着されるソケットと、器具本体に固定されて少なくともソケットを覆うソケットカバーと、を備えた照明器具において、ソケットカバーの器具本体への固定を行うための固定手段をソケットカバー及び器具本体に設けると共に、固定手段による固定を外してソケットカバーが下方に移動した状態でソケットカバーが器具本体から吊り下がって仮保持され、仮保持手段として、紐又はワイヤーからなる形状可変部材にてソケットカバーと器具本体とを連結し、紐又はワイヤーは本体部と、本体部と比較して膨大である膨大部とを有し、ケーシングの内側面に開口を設け、前記開口は開口の下辺より本体部と比較して幅狭な隙間部が下方へ伸び、隙間部の下端から膨大部と比較して小さな膨大部を係止する係止孔から成ることを特徴とする照明器具。
【請求項２】
器具本体は、下面が開放され平面視略矩形状をなすケーシングを備えると共に、ケーシングの長手方向の両端部にソケットを収容し、仮保持手段によりソケットカバーが器具本体から吊り下がった状態で、ソケットカバーをケーシングの長手方向に回動可能として成ることを特徴とする請求項１記載の照明器具。
【請求項３】
器具本体は、下面が開放され平面視略矩形状をなすケーシングを備えると共に、ケーシングの長手方向の両端部にソケットを収容し、仮保持手段によりソケットカバーが器具本体から吊り下がった状態で、ソケットカバーをケーシングの短手方向に回動可能として成ることを特徴とする請求項１記載の照明器具。
【発明の詳細な説明】
【技術分野】
【０００１】
本発明は、ランプが装着されるソケットを覆うソケットカバーを備えた照明器具に関するものである。
【背景技術】
【０００２】
従来より、図１３に示すようにランプ２が装着されるソケット３１を覆うソケットカバー４’を備えた照明器具としては、ソケットカバー４’の係合片を器具本体の被係合部に係合してソケットカバー４’を器具本体に取り付けるものがある（例えば特許文献１参照）。
【０００３】
この従来例においては、図１４に示すように、上方及び一側方に開口するソケットカバー４’の上端縁に引っ掛け爪を有する係合片４１’を突設してあり、器具本体の反射板１３に設けた孔１３ａに前記ソケットカバー４’の係合片４１’を下方より挿入して引っ掛け爪を孔１３ａの縁部に引っ掛けて係合することで、ソケットカバー４’を器具本体の反射板１３に固定するものである。
【特許文献１】特開平１１−３５３９２７号公報
【発明の開示】
【発明が解決しようとする課題】
【０００４】
ところで、上記従来例に示される照明器具にあっては、ソケットカバー４’の器具本体（この例では反射板１３）への固定を外してランプ２の取り替えやメンテナンス等の作業を行う場合、ソケットカバー４’を器具本体から外して一旦別の場所に置いたり、あるいは作業者がソケットカバー４’を手に持ったまま作業を行う必要があり、一旦置く場合は作業工程が増加して作業が煩わしいものであり、手に持ったまま作業を行う場合は持った手の自由度が減って作業がし難くなるものであり、また、一旦置く場合や手に持ったまま作業を行う場合にソケットカバー４’を落下させて損傷してしまう惧れがあるものであった。
【０００５】
本発明は上記従来の問題点に鑑みて発明したものであって、その目的とするところは、ソケットカバーを取り外して作業を行う場合に、ソケットカバーを一旦別の場所に置いたり、作業者がソケットカバーを手に持ったまま作業を行う必要がなく、また、ソケットカバーを落下させて損傷してしまうことのない照明器具を提供することを課題とするものである。
【課題を解決するための手段】
【０００６】
上記課題を解決するために請求項１に係るにあっては、下面が開放されたケーシング１０を有する器具本体１と、器具本体１に設けられランプ２が装着されるソケット３１と、器具本体に固定されて少なくともソケット３１を覆うソケットカバー４と、を備えた照明器具において、ソケットカバー４の器具本体１への固定を行うための固定手段５をソケットカバー４及び器具本体１に設けると共に、固定手段５による固定状態を外してソケットカバー４が下方に移動した状態でソケットカバー４が器具本体１から吊り下がって仮保持され、仮保持手段６として、紐又はワイヤーからなる形状可変部材６１にてソケットカバー４と器具本体１とを連結し、紐又はワイヤーは本体部ｅと、本体部と比較して膨大である膨大部ｄとを有し、ケーシング１０の内側面１２に開口６２を設け、前記開口６２は開口ａの下辺より本体部ｅと比較して幅狭な隙間部ｂが下方へ伸び、隙間部ｂの下端から膨大部ｄと比較して小さな膨大部ｄを係止する係止孔ｃから成ることを特徴とするものである。
【０００７】
このような構成とすることで、形状可変部材６１という簡単な構成で仮保持手段６を設けることができ、仮保持手段６により器具本体１からソケットカバー４を吊り下げて仮保持することができて、作業が簡略化されるとともに作業がし易くなり、また、ソケットカバー４を落下させて損傷してしまう惧れがないものである。
【００１０】
また、請求項２に係る発明は、請求項１に係る発明において、器具本体１は、下面が開放され平面視略矩形状をなすケーシング１０を備えると共に、ケーシング１０の長手方向の両端部にソケット３１を収容し、仮保持手段６によりソケットカバー４が器具本体１から吊り下がった状態で、ソケットカバー４をケーシング１０の長手方向に回動可能として成ることを特徴とするものである。
【００１１】
このような構成とすることで、ソケットカバー４をケーシング１０に仮保持した状態で、ソケットカバー４を長手方向に回動させて、ソケット３１の下方を開けることができて、ランプ２をソケット３１に取り付けたりその他のメンテナンス等の作業がし易くなるものである。
【００１２】
また、請求項３に係る発明は、請求項１に係る発明において、器具本体１は、下面が開放され平面視略矩形状をなすケーシング１０を備えると共に、ケーシング１０の長手方向の両端部にソケット３１を収容し、仮保持手段６によりソケットカバー４が器具本体１から吊り下がった状態で、ソケットカバー４をケーシング１０の短手方向に回動可能として成ることを特徴とするものである。
【００１３】
このような構成とすることで、ソケットカバー４をケーシング１０に仮保持した状態で、ソケットカバー４を短手方向に回動させて、ソケット３１の下方を開けることができて、ランプ２をソケット３１に取り付けたりその他のメンテナンス等の作業がし易くなるものである。
【発明の効果】
【００１４】
本発明にあっては、ソケットカバーの器具本体への固定手段による固定を外してランプの取り替えやメンテナンス等の作業を行う場合でも、仮保持手段により器具本体からソケットカバーを吊り下げて仮保持することができて、ソケットカバーを器具本体から外して一旦別の場所に置いたり、作業者がソケットカバーを手に持ったまま作業を行う必要がなく、一旦置く動作が不要で作業が簡略化されるとともに、手の自由度が減ることがなくて作業がし易いものであり、また、ソケットカバーを落下させて損傷してしまう惧れもないものである。
【発明を実施するための最良の形態】
【００１５】
以下、本発明について添付図面に基づいて説明する。まず、照明器具の基本的な構成について図１に基づいて説明する。
【００１６】
照明器具は、天井等に配設され、ランプ２として直管形の放電灯（蛍光灯）を点灯させるものであって、蛍光灯を点灯させるための磁気回路式の安定器（図示せず）と、安定器を収納した器具本体１と、器具本体１を閉塞するように器具本体１に取り付けられ放電灯の光を反射する反射板１３とを備える。器具本体１と反射板１３とは、それぞれ例えば塗装鋼板からなる。
【００１７】
器具本体１は、左右に長く下面が開放された略直方体形状に形成されたケーシング１０と、ケーシング１０の長手方向の両端のそれぞれ下側に設けられる一対のランプ保持部３とを有する。ケーシング１０の長手方向に直交する断面での断面形状はコ字状になっている。ランプ保持部３には、それぞれ蛍光灯の口金が装着される蛍光灯用のソケット３１が設けられている。各ランプ保持部３には、それぞれランプ保持部３を覆うソケットカバー４が配置されて器具本体１に固定される。この器具本体１は、例えばケーシング１０を貫通して施工面に螺合するねじ（図示せず）によって施工面に固定される。
【００１８】
反射板１３は断面が下方に凹となる形状をした長尺の部材で、ランプ２の上面側を覆うようにランプ２の上側に配置され、長手方向の両端部が器具本体１のケーシング１０の短辺側の内側面１１（すなわちケーシング１０の長手方向の両端部に位置する内側面）にそれぞれ固定してある。
【００１９】
ソケットカバー４は、ソケット３１を覆う覆い部で主体が構成されるもので、図１に示す実施形態では、ソケット３１の下側に配置されてソケット３１の下面側を覆う下覆い部４１と、ソケット３１の側方すなわち器具本体１の中央側の側方を覆う側覆い部４２とからなる覆い部で主体が構成される。下覆い部４１は、平面視略矩形をした板状の部材からなり、ケーシング１０の長手方向の両端部のソケット３１を設けた部分の下端部においてケーシング１０の長辺側の内側面１２間に亘って配置される。側覆い部４２は、下覆い部４１の器具本体１の中央側の辺から上方に起立する板状の部材で、上端部が反射板１３の近傍に至ると共に、ランプ２が位置する部分にはランプ２を避ける切欠４２ａが形成してある。
【００２０】
次に、固定手段５及び仮保持手段６について説明する。固定手段５は、ソケットカバー４の器具本体１への固定を行うため、ソケットカバー４及び器具本体１に設けるものであり、仮保持手段６は、固定手段５による固定を外してソケットカバー４が下方に一定距離移動した状態でソケットカバー４が器具本体１から吊り下がって仮保持されるように設けるもので、以下に各実施形態に基づいて順に説明する。
【００２１】
まず本発明の第一の実施形態について図１及び図２に基づいて説明する。
【００２２】
ソケットカバー４の下覆い部４１のケーシング１０短手方向の両端側の辺から上方に起立して前記ケーシング１０の長辺側の内側面１２に面する板状の固定片４３を設ける。固定片４３は、外側の側面が器具本体１のケーシング１０へ固定手段５により固定した状態で、ケーシング１０の長辺側の内側面１２に面するものである。そして、固定手段５として、ソケットカバー４の固定片４３の上端部に外斜め下方に突出する突出片５１ａを突設すると共に、ケーシング１０の長辺側の内側面１２に前記突出片５１ａが嵌入されて係止する開口５２ａを設けて構成してある。
【００２３】
仮保持手段６は、紐やワイヤー等の形状可変部材６１からなるもので、形状可変部材６１の一端をソケットカバー４の固定片４３に接着やその他手段により連結固定する。そして、ケーシング１０の長辺側の内側面１２に上記固定手段５としての開口５２ａとは別の開口６２を形成する。形状可変部材６１の他端は本体部ｅの幅よりも大径の膨大部ｄ（本実施形態では結び目）となっていて、また前記開口６２は、膨大部ｄが挿通可能な挿入口ａと、挿入口ａと連通して膨大部ｄ及び本体部ｅの径よりも小さい幅狭の隙間部ｂと、幅狭の隙間部ｂと連通して膨大部ｄより小径で且つ本体部ｅの径より大径の係止孔ｃと、を備えている。
【００２４】
この仮保持手段６は、形状可変部材６１の他端の膨大部ｄをケーシング１０の開口６２の挿入口ａに挿入し、本体部ｅを変形させて幅を狭くして幅狭の隙間部ｂを通し、本体部ｅが係止孔ｃに至って膨大部ｄが抜け止めとなることで係止される。
【００２５】
この形状可変部材６１からなる仮保持手段６は、ソケットカバー４をケーシング１０に固定手段５により固定した状態では形状可変部材６１は撓んでいて、固定手段５による固定を外してソケットカバー４が下方に移動していくと、形状可変部材６１が張って、ソケットカバー４が器具本体１から吊り下がって仮保持される。
【００２６】
以上のような構成によれば、ソケットカバー４の器具本体１への固定手段５による固定を外してランプ２の取り替えやメンテナンス等の作業を行う場合でも、仮保持手段６により器具本体１からソケットカバー４を吊り下げて仮保持することができて、ソケットカバー４を器具本体１から外して一旦別の場所に置いたり、作業者がソケットカバー４を手に持ったまま作業を行う必要がなく、一旦置く動作が不要で作業が簡略化されるとともに、手の自由度が減ることがなくて作業がし易いものであり、また、ソケットカバー４を落下させて損傷してしまう惧れもないものである。
【００２７】
また、形状可変部材６１という簡単な構成で仮保持手段６を設けることができるものである。
【００２８】
また、ソケットカバー４をケーシング１０に仮保持した状態で、ソケットカバー４を長手方向及び短手方向のいずれにも回動させることができて、長手方向及び短手方向のいずれかにソケットカバー４を回動できない場合でも、ソケット３１の下方を開けることができて、ランプ２をソケット３１に取り付けたりその他のメンテナンス等の作業がし易くなるものである。
【００２９】
次に、第二の実施形態、第三の実施形態、第六の実施形態について説明する。第二の実施形態、第三の実施形態、第六の実施形態においては、仮保持手段６によりソケットカバー４が器具本体１から吊り下がった状態で、ソケットカバー４をケーシング１０の長手方向に回動可能とするものである。
【００３０】
まず、本発明の第二の実施形態について図３及び図４に基づいて説明する。なお、第二の実施形態において第一の実施形態と同様の構成については同符号を付して説明を省略し、主に異なる部分について説明する。
【００３１】
第二の実施形態は、ソケットカバー４側の固定手段５として、下底部ＳＢ１と、下底部ＳＢ１の両端から上方に突出する側縦部ＳＢ２と、側縦部ＳＢ２の上端から外側方に突出する係合枢支部ＳＢ３とからなり上方に開口する略コ字状をした線ばねＳＢを、その下底部ＳＢ１をソケットカバー４の両方の固定片４３に形成した貫通孔４３ａにそれぞれ挿通させて、固定片４３の外側に側縦部ＳＢ２を位置させると共に、側縦部ＳＢ２の先端部を上方に伸ばしている。この線ばねＳＢはソケットカバー４に対して固定されている。
【００３２】
また、ケーシング１０側の固定手段５として、ケーシング１０の長辺側の内側面１２に線ばねＳＢの係合枢支部ＳＢ３が挿通される上下を長手方向とする長孔５２ｂを設けてある。
【００３３】
ソケットカバー４のケーシング１０への固定は、ソケットカバー４の線ばねＳＢの係合枢支部ＳＢ３をケーシング１０の長孔５２ｂに内側より挿通して長孔５２ｂの上端部に位置させ、両側の側縦部ＳＢ２が広がろうとする弾性力によって両側の側縦部ＳＢ２をそれぞれケーシング１０の長辺側の内側面１２に圧接することで行うものである（図４（ａ）参照）。
【００３４】
そして、この固定状態を外すには、両側の側縦部ＳＢ２に外側から内向きの力を加えて両側の側縦部ＳＢ２間の距離を縮め、側縦部ＳＢ２のケーシング１０の長辺側の内側面１２への圧接を解除することで行う。そして、ソケットカバー４を下降させて線ばねＳＢの係合枢支部ＳＢ３が長孔５２ｂの下端部に位置すると、係合枢支部ＳＢ３は長孔５２ｂの下端部上に支持されて、ソケットカバー４が器具本体１から吊り下がって仮保持される（図４（ｂ）参照）。すなわち、ソケットカバー４の線ばねＳＢの係合枢支部ＳＢ３とケーシング１０の長孔５２ｂとは、仮保持手段６を構成するものである。
【００３５】
上記のように仮保持された状態では、図４（ｃ）に示すように、ケーシング１０の長孔５２ｂの下端部に挿通されている係合枢支部ＳＢ３を中心にして、ソケットカバー４がケーシング１０の長手方向に回動可能としてある。
【００３６】
このようにすることで、ソケットカバー４をケーシング１０に仮保持した状態で、ソケットカバー４を長手方向に回動させることができて、ソケット３１の下方を開けることができて、ランプ２をソケット３１に取り付けたりその他のメンテナンス等の作業がし易くなるものである。
【００３７】
次に、本発明の第三の実施形態について図５及び図６に基づいて説明する。なお、第三の実施形態において第二の実施形態と同様の構成については同符号を付して説明を省略し、主に異なる部分について説明する。
【００３８】
第三の実施形態は、固定手段５として、ソケットカバー４の固定片４３の上下方向中間部の側面を外側に屈曲させて屈曲部５１ｃを突出させると共に、ケーシング１０の長辺側の内側面１２に前記屈曲部５１ｃが嵌入される開口５２ｃを設けて構成してある。
【００３９】
仮保持手段６は、ソケットカバー４の固定片４３の上端部の長手方向の一部から外斜め下方に突出する係止部６１を設けると共に、ケーシング１０の長辺側の内側面１２に形成した前記開口５２ｃを被係止部６２として兼用して構成されている。
【００４０】
この係止部６１及び被係止部６２としての開口５２ｃからなる仮保持手段６は、ソケットカバー４をケーシング１０に固定手段５により固定した状態では、ソケットカバー４の屈曲部５１ｃがケーシング１０の開口５２ｃに嵌入して固定されており、係止部６１は被係止部６２としての前記開口５２ｃの上方に位置していて係止されないが（図６（ａ）参照）、固定手段５による固定を外してソケットカバー４が下方に移動していくと、屈曲部５１ｃの上方に位置するソケットカバー４の係止部６１がケーシング１０に形成した被係止部６２としての開口５２ｃに係止され、ソケットカバー４が器具本体１から吊り下がって仮保持される（図６（ｂ）参照）。
【００４１】
上記のように仮保持された状態では、ケーシング１０の開口５２ｃに係止されているソケットカバー４の係止部６１を中心にして、ソケットカバー４がケーシング１０の長手方向に回動可能としてある。
【００４２】
このようにすることで、ソケットカバー４をケーシング１０に仮保持した状態で、ソケットカバー４を長手方向に回動させることができて、ソケット３１の下方を開けることができて、ランプ２をソケット３１に取り付けたりその他のメンテナンス等の作業がし易くなるものである。
【００４３】
次に、第四の実施形態、第五の実施形態について順に説明する。第四の実施形態、第五の実施形態においては、仮保持手段６によりソケットカバー４が器具本体１から吊り下がった状態で、ソケットカバー４をケーシング１０の短手方向に回動可能とするものである。
【００４４】
まず本発明の第四の実施形態について図７乃至図９に基づいて説明する。なお、第四の実施形態において第一の実施形態と同様の構成については同符号を付して説明を省略し、主に異なる部分について説明する。
【００４５】
第四の実施形態は、固定手段５として、線ばねＳＢを左右に膨らむ膨大部５１ｄが形成されるように曲げてソケットカバー４の両方の固定片４３の外側の側面に固定すると共に、ケーシング１０の両方の長辺側の内側面１２に前記ソケットカバー４の膨大部５１ｄを支持する支持部５２ｄを突設してある。
【００４６】
仮保持手段６は、ソケットカバー４の両方の固定片４３に設けた線ばねＳＢの上端部を略ヘ字状に屈曲してその頂部を係止部６１とすると共に、ケーシング１０の両方の長辺側の内側面１２から突出する突出部を形成して被係止部６２としてある。
【００４７】
この線ばねＳＢの上端部の略へ字状に屈曲した係止部６１及び突出部からなる被係止部６２で構成される仮保持手段６は、ソケットカバー４をケーシング１０に固定手段５により固定した状態では、線ばねＳＢの上端部の係止部６１はケーシング１０に形成した被係止部６２としての突出部の上方に位置していて係止されないが（図８（ａ）参照）、固定手段５による固定を外してソケットカバー４が下方に移動していくと、係止部６１が被係止部６２に引っ掛かって係止されて、ソケットカバー４が器具本体１から吊り下がって仮保持される（図８（ｂ）参照）。
【００４８】
そして、上記のように仮保持された状態では、ケーシング１０の被係止部６２に係止されているソケットカバー４の係止部６１を中心にして、ソケットカバー４がケーシング１０の長手方向に回動可能となると共に、図９に示すように、仮保持手段６のうちの片方の仮保持（図９においては右側の係止部６１及び被係止部６２による係止）を解除することで、図９（ｂ）に示すようにソケットカバー４がケーシング１０の短手方向に回動可能となる。
【００４９】
このようにすることで、ソケットカバー４をケーシング１０に仮保持した状態で、ソケットカバー４を長手方向及び短手方向のいずれにも回動させることができて、長手方向及び短手方向のいずれかにソケットカバー４を回動できない場合でも、ソケット３１の下方を開けることができて、ランプ２をソケット３１に取り付けたりその他のメンテナンス等の作業がし易くなるものである。
【００５０】
次に、本発明の第五の実施形態について図１０に基づいて説明する。なお、第五の実施形態において第四の実施形態と同様の構成については同符号を付して説明を省略し、主に異なる部分について説明する。
【００５１】
第五の実施形態は、第四の実施形態においてケーシング１０の両方の長辺側の内側面１２に突出部からなる被係止部６２を設けるところを片側にのみ（図１０中の左側のみ）設けてある。
【００５２】
このようにすることで、第四の実施形態においては仮保持された状態で、右側の係止部６１及び被係止部６２による係止を解除する必要があったが、これが不要となるものである。その他の効果については第四の実施形態と同様である。
【００５３】
次に、本発明の第六の実施形態について図１１及び図１２に基づいて説明する。なお、第六の実施形態において第一の実施形態と同様の構成については同符号を付して説明を省略し、主に異なる部分について説明する。
【００５４】
第六の実施形態は、固定手段５として、ソケットカバー４の固定片４３の上下方向中間部の側面を外側に屈曲させて屈曲部５１ｆを突出させると共に、ケーシング１０の長辺側の内側面１２に前記屈曲部５１ｆが嵌入される開口５２ｆを設けてある。
【００５５】
仮保持手段６は、線ばねＳＢを両先端が自由端となってそれぞれ斜め左右上方に延びるようにソケットカバー４の固定片４３の側面に固定し、両先端をそれぞれ略へ字状に屈曲して係止部６１とすると共に、ケーシング１０の長辺側の内側面１２から突出する爪状の突出部を形成して被係止部６２として構成してある。
【００５６】
この線ばねＳＢの先端を屈曲した係止部６１及び被係止部６２としての突出部からなる仮保持手段６は、ソケットカバー４の屈曲部５１ｆをケーシング１０の開口５２ｆに嵌入してソケットカバー４をケーシング１０に固定した状態では、線ばねＳＢの上端部の係止部６１はケーシング１０に突設した被係止部６２の上方に位置していて係止されないが（図１２（ａ）参照）、固定手段５による固定を外してソケットカバー４が下方に移動していくと、係止部６１が被係止部６２に引っ掛かって係止されて、ソケットカバー４が器具本体１から吊り下がって仮保持される（図１２（ｂ）参照）。
【００５７】
そして、上記のように仮保持された状態では、ケーシング１０の開口５２ｃに係止されているソケットカバー４の係止部６１を中心にして、ソケットカバー４がケーシング１０の長手方向に回動可能となる。
【図面の簡単な説明】
【００５８】
【図１】本発明の第一の実施形態の要部の下方より見た一部切欠分解斜視図である。
【図２】同上における形状可変部材の連結を説明する斜視図である。
【図３】本発明の第二の実施形態の要部の下方より見た一部切欠分解斜視図である。
【図４】同上におけるソケットカバーと器具本体との位置関係を説明する側面図であり、（ａ）は固定手段により固定された状態の説明図であり、（ｂ）は仮保持手段により仮保持された状態の説明図であり、（ｃ）はソケットカバーを長手方向に回転させている状態の説明図である。
【図５】本発明の第三の実施形態の要部の下方より見た一部切欠分解斜視図である。
【図６】同上におけるソケットカバーと器具本体との位置関係を説明する正面図であり、（ａ）は固定手段により固定された状態の説明図であり、（ｂ）は仮保持手段により仮保持された状態の説明図である。
【図７】本発明の第四の実施形態の要部の下方より見た一部切欠分解斜視図である。
【図８】同上におけるソケットカバーと器具本体との位置関係を説明する側面図であり、（ａ）は固定手段により固定された状態の説明図であり、（ｂ）は仮保持手段により仮保持された状態の説明図である。
【図９】同上におけるソケットカバーと器具本体との位置関係を説明する正面図であり、（ａ）は仮保持手段により仮保持された状態の説明図であり、（ｂ）はソケットカバーを短手方向に回転させている状態の説明図である。
【図１０】本発明の第五の実施形態におけるソケットカバーと器具本体との位置関係を説明する正面図であり、（ａ）は仮保持手段により仮保持された状態の説明図であり、（ｂ）はソケットカバーを短手方向に回転させている状態の説明図である。
【図１１】本発明の第六の実施形態の要部の下方より見た一部切欠分解斜視図である。
【図１２】同上におけるソケットカバーと器具本体との位置関係を説明する図であり、（ａ）は固定手段により固定された状態の説明図であり、（ｂ）は仮保持手段により仮保持された状態の説明図である。
【図１３】従来例の要部の下方より見た分解斜視図である。
【図１４】同上においてソケットカバーの取り付けを説明する斜視図である。
【符号の説明】
【００５９】
１    器具本体
２    ランプ
３１  ソケット
４    ソケットカバー
５    固定手段
６    仮保持手段
【図１】
0005022148.tif 000002
【図２】
0005022148.tif 000003
【図３】
0005022148.tif 000004
【図４】
0005022148.tif 000005
【図５】
0005022148.tif 000006
【図６】
0005022148.tif 000007
【図７】
0005022148.tif 000008
【図８】
0005022148.tif 000009
【図９】
0005022148.tif 000010
【図１０】
0005022148.tif 000011
【図１１】
0005022148.tif 000012
【図１２】
0005022148.tif 000013
【図１３】
0005022148.tif 000014
【図１４】
0005022148.tif 000015